(57)【特許請求の範囲】
【請求項１】
記録媒体を収納する給紙段を複数有し、前記給紙段の一つを選択して前記給紙段に収納された記録媒体を給紙し、前記記録媒体に画像形成処理を行う画像記録装置において、
前記給紙段の内の一つを選択するための選択手段と、
前記選択手段によって選択された給紙段の情報を、該選択手段によって給紙段が選択される毎に不揮発性の記憶手段に格納する格納手段と、
電源投入時に前記記憶手段に格納された給紙段の情報に基づいて前記給紙段を設定する設定手段とを有することを特徴とする画像記録装置。
【請求項２】
請求項１に記載の画像記録装置において、
前記選択手段は、前記画像記録装置に設けられた操作パネル上の選択キーであることを特徴とする画像記録装置。
【請求項３】
請求項１に記載の画像記録装置において、
前記選択手段は、前記画像記録装置に接続された上位装置から送られるコマンドであることを特徴とする画像記録装置。
【請求項４】
記録媒体を収納する給紙段を複数有し、前記給紙段の一つを選択して前記給紙段に収納された記録媒体を給紙し、前記記録媒体に画像形成処理を行う画像記録装置において、
前記給紙段の内の一つを選択するための選択手段と、
前記選択手段によって選択された給紙段の情報を一時的に格納する第１の記憶手段と、
電源スイッチをオフした後に行われるパワーオフ処理時に前記第１の記憶手段に格納された給紙段の情報を不揮発性の第２の記憶手段に格納する格納手段と、
電源投入時に前記第２の記憶手段に格納された給紙段の情報に基づいて前記給紙段を設定する設定手段とを有することを特徴とする画像記録装置。
【請求項５】
受信データをビットマップデータに展開するためのフォントを複数有し、前記フォントの一つを選択して受信データを展開し画像形成処理を行う画像記録装置において、
前記フォントの内の一つを選択するための選択手段と、
前記選択手段によって選択されたフォントの情報を不揮発性の記憶手段に格納する格納手段と、
電源投入時に前記記憶手段に格納されたフォントの情報に基づいて前記フォントを設定する設定手段とを有することを特徴とする画像記録装置。
【請求項６】
記録媒体を収納する給紙段を複数有し、前記給紙段の一つを選択して前記給紙段に収納された記録媒体を給紙し、前記記録媒体に画像形成処理を行う画像記録装置において、
前記給紙段の内の一つを選択するための選択手段と、
前記選択手段によって選択された給紙段の情報および前記給紙段の情報に対応した制御データを不揮発性の記憶手段に格納する格納手段と、
電源投入時に前記記憶手段に格納された給紙段の情報及び制御データに基づいて前記給紙段の設定および画像形成の制御を行う制御手段とを有することを特徴とする画像記録装置。
【発明の詳細な説明】
【０００１】
【発明の属する技術分野】
本発明は、プリンタや複写機等の画像記録装置、特に複数の給紙段を有する画像記録装置に関する。
【０００２】
【従来の技術】
通常、複数の給紙段を有するプリンタや複写機等の画像記録装置では、実際の印刷やコピー等を行う前に、画像記録装置前面に設けられた操作パネル等から所望の給紙段を選択する動作を行う。従来、この選択動作を軽減させるために、予め使用頻度が高いと思われる特定の給紙段をデフォルトトレイとしてセットしておき、電源投入時にはそのデフォルトトレイを選択するようにしたものがある。
【０００３】
【発明が解決しようとする課題】
最近、省エネ対策として、昼休み等しばらく席を立つ時にはプリンタや複写機等の電源をオフし、再び作業を開始する時に電源をオンするようになり、その結果、電源のオン・オフが頻繁に行われるようになった。従来は電源投入時にはデフォルトトレイ（特定の給紙段）が選択されるように制御されているので、直前に選択されていた給紙段の情報がリセットされてしまい、席を立つ前の作業の続きをしようとした場合、給紙段の選択動作をやり直さなければならないことがあった。
【０００４】
【課題を解決するための手段】
上記課題を解決するために、本発明の画像記録装置は、記録媒体を収納する給紙段を複数有し、前記給紙段の一つを選択して前記給紙段に収納された記録媒体を給紙し、前記記録媒体に画像形成処理を行う画像記録装置において、前記給紙段の内の一つを選択するための選択手段と、前記選択手段によって選択された給紙段の情報を、該選択手段によって給紙段が選択される毎に不揮発性の記憶手段に格納する格納手段と、電源投入時に前記記憶手段に格納された給紙段の情報に基づいて前記給紙段を設定する設定手段とを有することを特徴とする。
【０００５】
【発明の実施の形態】
以下、本発明の実施の形態について図面を参照しながら説明する。なお、各図面に共通する要素には同一の符号を付す。
【０００６】
（具体例１）
図２は、具体例１の画像記録装置の断面図である。本具体例では電子写真プリンタを例に挙げて説明する。
【０００７】
具体例１のプリンタは、第１の給紙機構部４１、第２の給紙機構部４４、および第３の給紙機構部４７を有する。
第１の給紙機構部４１は、用紙を収容する第１の給紙トレイ４２（トレイ１）と、給紙トレイ４２の上端に用紙と対向するように配設される第１のホッピングローラ４３と、用紙の有無や用紙のサイズを検出するための図示せぬ用紙センサを有している。ホッピングローラ４３によって送り出された用紙は走行ルート２６を通ってレジストローラ１４に送られる。同様に、第２の給紙機構部４４は、用紙を収容する第２の給紙トレイ４５（トレイ２）と、給紙トレイ４５の上端に用紙と対向するように配設される第２のホッピングローラ４６と、用紙の有無や用紙のサイズを検出するための図示せぬ用紙センサを有している。ホッピングローラ４６によって送り出された用紙は、走行ルート４９、走行ルート２６を通ってレジストローラに送られる。第１の給紙機構部４１および第２の給紙機構部４４は、電子写真プリンタの下部に配設され、電子写真プリンタ全体の占有面積を小さくしている。なお、第２の給紙機構部４４はオプション化が可能である。
【０００８】
第３の給紙機構部４７は、装置本体の側面に回動可能に設けられた伸縮自在な手差し台４８（フロントトレイ）と、用紙の有無や用紙のサイズを検出するための図示せぬ用紙センサを有している。手差し台４８は、使用されない時は図の実線位置に収納されていて、使用される時に図の点線位置まで回動され、用紙の長さに合わせて伸縮させることができる。第３の給紙機構部４７は、封筒やハガキ等の特殊な用紙を送るために直線状に形成された走行ルート２７に通じるものであり、第３の給紙機構部４７を使用することによって特殊な用紙を曲げることなくレジストローラ１４に送ることができる。
【０００９】
走行ルート２６または走行ルート２７を通って搬送された用紙は、用紙搬送路に沿って設けられた、画像形成部１５、定着装置２２、排出ローラ２３、２４を通って用紙受け台に排出される。画像形成部１５は、感光ドラム１６、帯電装置１７、ＬＥＤヘッド１８、現像装置１９、転写装置２０、クリーニング装置２１で構成される。また、排出ローラ２３の下流側には、用紙の排出先を切り換えるための用紙セパレータ２５が配設されている。
【００１０】
用紙搬送路には、用紙の走行を制御するためのセンサ２８〜３０が設けられている。２８は入口センサ、２９は書込センサ、３０は排出センサである。これらのセンサ２８〜３０は、フォトセンサを使用し、用紙で直接光軸を遮断させるようにしたものや、アクチュエータで光軸を遮断させるようにしたものが使用される。
【００１１】
図１は、上記構成の電子写真プリンタの制御系のブロック図である。図１に示すように、具体例１のプリンタは、コントローラ部５０、各種センサ部５１、電源・高圧部５２、ＬＥＤヘッド１８、ドラムモータ５３、用紙送りモータ５４、操作パネル５５、インタフェース部５６、およびこれらを接続するための信号線やバスから構成されている。
【００１２】
コントローラ部５０はプリンタ全体を制御するもので、ＣＰＵ５７および各種メモリ５８〜６２等から構成される。プログラムＲＯＭ５８は制御プログラムを格納するためのメモリ、フォントＲＯＭ５９はフォントを格納するためのメモリ、画像メモリ６０は画像データを格納するためのＲＡＭである。カレント情報記憶部６１は現在選択されている給紙段等の情報を格納するためのメモリで、ＲＡＭで構成される。設定情報記憶部６２は選択された給紙段等の情報を電源オフ時も保持しておくためのメモリで、バッテリバックアップによって不揮発性とされたスタティック型のＲＡＭや、ＥＥＰＲＯＭで構成される。また、コントローラ部５０は、インターフェース部５６を介して図示せぬ上位装置と接続される。
【００１３】
各種センサ部５１は、用紙搬送路に設けられた入口センサ２８、書込センサ２９、排出センサ３０、および各給紙機構部に設けられた用紙センサ６３といった用紙走行系のセンサの他に、定着装置２２の温度を検出するための温度センサ６４や、現像装置１９内部のトナー量を検出するためのトナーセンサ６５を備えている。
電源・高圧部５２には、帯電装置１７、現像装置１９、転写装置２０、定着装置２２が接続されており、電源・高圧部５２はコントローラ部５０の指示に従って各装置に高圧電源を供給する。
操作パネル５５は、ＬＥＤランプ６６、ＬＣＤ表示部６７、および各種スイッチ６８を備えている。コントローラ部５０は、プリンタの状態を操作パネル５５のＬＥＤランプ６６で表示したり、操作パネル５５のスイッチ６８からの各種情報を受け付けてその情報をカレント情報記憶部６１や設定情報記憶部６２に格納したり、カレント情報記憶部６１に格納された情報を操作パネル５５のＬＣＤ表示部６７に表示したりする。操作パネル５５については、図３を用いて説明を補足する。
【００１４】
図３は、操作パネルの説明図である。図３に示すように、具体例１の操作パネル５５には、ＬＥＤランプ３個、ＬＣＤ表示部１個、およびスイッチ５個が設けられている。ＬＥＤランプ３個の内訳は、電源のオン・オフを示す電源ランプ６６ａ（電源オン時は緑点灯、電源オフ時は消灯）、プリンタがオンラインモードに設定されているかオフラインモードに設定されているかを示すオンラインランプ６６ｂ（オンラインモード時は緑点灯、オフラインモード時は消灯）、用紙がセットされているか否かを示す用紙ランプ６６ｃ（用紙ありは消灯、用紙なしは赤点灯）である。ＬＣＤ表示部６７は、現在設定されているモードやカレント情報記憶部６１に格納されている情報を表示する。スイッチ５個の内訳は、オンラインモードまたはオフラインモードを設定するためのオンラインスイッチ６８ａ、メニューを選択するためのメニュースイッチ６８ｂ、給紙トレイを選択するためのトレイ選択スイッチ６８ｃ、フォントを選択するためのフォント選択スイッチ６８ｄ、選択情報を確定するための確定スイッチ６８ｅである。
【００１５】
図４は、メニューで設定される情報の説明図である。本具体例では説明を簡単にするために、メニューとしてトレイ選択とフォント選択の２種類を示した。図３に示したメニュースイッチ６８ｂの押下によりメニューが選択される。つまり、メニュースイッチ６８ｂが１回押下される度にトレイ選択とフォント選択が切り替わる。また、メニューとしてトレイ選択が選択されている時にトレイ選択スイッチ６８ｃが押下されると、１回押下される度に選択情報がトレイ１、トレイ２、フロントトレイ、トレイ１、・・・の順に切り替わる。また、メニューとしてフォント選択が選択されている時にフォント選択スイッチ６８ｄが押下されると、１回押下される度に選択情報がフォント１、フォント２、フォント３、フォント４、フォント１、・・・の順に切り替わる。
【００１６】
次に具体例１の給紙段選択動作について、図５〜図８を用いて説明する。図５〜図８は、具体例１の動作を示すフローチャートである。
【００１７】
図５は、電源スイッチオン状態のプリンタの動作を示すフローチャートである。電源スイッチをオンした直後はプリンタはオンラインモードに設定されている。図５において、まず、上位装置からインターフェース部５６を介して印字コマンドを受信したかどうかを判定する（Ｓ５０１）。印字コマンドを受信した場合はＳ５０５に移行する。一方、印字コマンドを受信していない場合は、Ｓ５０２でオンラインスイッチ６８ａが押下されたかどうかを判定する。オンラインスイッチ６８ａの押下も検出されない場合はＳ５０１に戻る。一方、オンラインスイッチ６８ａの押下が検出された場合はＳ５０３でプリンタをオフラインモードに設定して、Ｓ５０４の選択処理へ移行する。ここで、Ｓ５０４の選択処理について図６を用いて説明する。
【００１８】
図６は、操作パネル５５からの給紙段選択動作を示すフローチャートである。図６において、まず、メニュースイッチ６８ｂが押下されトレイ選択メニューになっているかどうかを判定する（Ｓ５２１）。トレイ選択メニューの場合は、Ｓ５２２でカレント情報記憶部６１の内容をＬＣＤ表示部６７に表示することにより、現在選択されている給紙段をオペレータに確認させる。次に、Ｓ５２３で確定スイッチ６８ｅが押下されたかどうかを判定する。確定スイッチ６８ｅの押下が検出された場合はＳ５２６に移行する。一方、確定スイッチ６８ｅの押下が検出されない場合はＳ５２４でトレイ選択スイッチ６８ｃが押下されたかどうかを判定し、トレイ選択スイッチ６８ｃの押下が検出された場合はＳ５２５でカレント情報記憶部６１に次の給紙段の情報を格納し（給紙段選択の順番は図４を用いて説明した通り）、Ｓ５２２に戻る。一方、確定スイッチ６８ｅの押下もトレイ選択スイッチ６８ｃの押下も検出されない場合はＳ５２６に移行する。Ｓ５２６ではオンラインスイッチ６８ａが押下されたかどうかを判定する。オンラインスイッチ６８ａの押下が検出されない場合はＳ５２３に戻る。一方、Ｓ５２６でオンラインスイッチ６８ａの押下が検出されると、Ｓ５３１でカレント情報記憶部６１に格納されている給紙段の準備ができているかどうかを判定する。ここで給紙段の準備とは、第１の給紙機構部４１、第２の給紙機構部４４について言えば各トレイがプリンタにセットされていてかつ用紙が各トレイにセットされていることを意味し、第３の給紙機構部４７について言えば手差し台４８が使用位置まで回動されていてその上に用紙がセットされていることを意味する。Ｓ５３１で給紙段の準備ができていない場合は、ＬＣＤ表示部６７や用紙ランプ６６ｃを使用して給紙段の準備を促す表示を行う（Ｓ５３２）。給紙段の準備ができると、Ｓ５３３でカレント情報記憶部６１の内容を不揮発性のメモリである設定情報記憶部６２に格納する。その後オンラインモードに設定して（Ｓ５３４）、給紙段選択処理を終了する。
【００１９】
再び図５に戻ってＳ５０５以降の動作を説明する。Ｓ５０５では受信した印字コマンド中に給紙段選択コマンドが含まれているかどうかを判定する。給紙段選択コマンドが含まれていない場合は直ちにＳ５１１に移行する。一方、給紙段選択コマンドが含まれている場合は、Ｓ５０６でカレント情報記憶部６１に格納されている内容と給紙段選択コマンドの内容が同じであるかどうかを判定する。同じである場合はＳ５１１に移行する。異なる場合はカレント情報記憶部６１に給紙段選択コマンドの内容を格納し（Ｓ５０７）、給紙段の準備ができているかどうかを確認する（Ｓ５０８、Ｓ５０９）。給紙段の準備が整っていると、Ｓ５１０でカレント情報記憶部６１の内容を不揮発性のメモリである設定情報記憶部６２に格納した後、Ｓ５１１に移行する。Ｓ５１１ではカレント情報記憶部６１で指定される給紙段から給紙動作を行い、通常の印刷処理に移行する（Ｓ５１２）。
【００２０】
このように、操作パネル５５から設定される給紙段の情報や、上位装置から送られる給紙段選択コマンドの情報は、不揮発性のメモリである設定情報記憶部６２に格納される。そのため、図７の電源スイッチオフ時のフローチャートに示すように、Ｓ５４１で電源スイッチのオフを検出した後、Ｓ５４２で通常のパワーオフ処理を行うだけでプリンタ動作を終了しても、電源スイッチをオフする前に選択された給紙段の情報は保持される。従って、図８の電源スイッチオン時のフローチャートに示すように、Ｓ５６１で電源スイッチのオンを検出し、Ｓ５６２で通常のイニシャル処理を行った後、Ｓ５６３でカレント情報記憶部６１に設定情報記憶部６２の内容を格納すれば、電源スイッチをオフする前に選択されていた給紙段を自動的に選択できる。その後Ｓ５６４でプリンタはオンラインモードに設定され、待機状態となる。
【００２１】
以上説明したように、具体例１によれば、操作パネル５５から選択される給紙段の情報や、上位装置から送られる給紙段選択コマンドの情報を、不揮発性のメモリである設定情報記憶部６２に格納するようにしたので、電源をオフしても選択された給紙段の情報が保持され、次に電源をオンした時には直前に選択されていた給紙段を自動的に選択することができる。
また、用紙ジャム解除やメンテナンス等の目的で装置のカバーを開いた時も、選択された情報は保持されるので、カバーを閉じた時に直前に選択されていた給紙段を自動的に選択することができる。
【００２２】
（具体例２）
次に具体例２を説明する。上述した具体例１では、給紙段の選択情報を不揮発性のメモリに保持し、電源投入時にそれを読み出すようにした。具体例２では、フォントの選択情報を不揮発性のメモリに保持し、電源投入時にそれを読み出すようにしたものである。具体例２のプリンタの構成は具体例１と同様であるので、説明は省略する。
【００２３】
図９および図１０は、具体例２の動作を示すフローチャートである。以下、具体例１と異なる部分のみ説明する。
図９は、電源スイッチオン状態のプリンタの動作を示すフローチャートである。図５と異なるのはＳ６０４の選択処理およびＳ６０５以降の処理である。まず、Ｓ６０４の選択処理について、図１０を用いて説明する。
【００２４】
図１０は、操作パネル５５からのフォント選択動作を示すフローチャートである。図１０において、まず、メニュースイッチ６８ｂが押下されフォント選択メニューになっているかどうかを判定する（Ｓ６２１）。フォント選択メニューの場合は、Ｓ６２２でカレント情報記憶部６１の内容をＬＣＤ表示部６７に表示することにより、現在選択されているフォントをオペレータに確認させる。次に、Ｓ６２３で確定スイッチ６８ｅが押下されたかどうかを判定する。確定スイッチ６８ｅの押下が検出された場合はＳ６２６に移行する。一方、確定スイッチ６８ｅの押下が検出されない場合はＳ６２４でフォント選択スイッチ６８ｄが押下されたかどうかを判定し、フォント選択スイッチ６８ｄの押下が検出された場合はＳ６２５でカレント情報記憶部６１に次のフォントの情報を格納し（フォント選択の順番は図４を用いて説明した通り）、Ｓ６２２に戻る。一方、確定スイッチ６８ｅの押下もフォント選択スイッチ６８ｄの押下も検出されない場合は、Ｓ６２６に移行する。Ｓ６２６ではオンラインスイッチ６８ａが押下されたかどうかを判定する。オンラインスイッチ６８ａの押下が検出されない場合はＳ６２３に戻る。一方、Ｓ６２６でオンラインスイッチ６８ａの押下が検出されると、Ｓ６３３でカレント情報記憶部６１の内容を不揮発性のメモリである設定情報記憶部６２に格納する。その後オンラインモードに設定して（Ｓ６３４）、フォント選択処理を終了する。
【００２５】
再び図９に戻ってＳ６０５以降の動作を説明する。Ｓ６０５では受信した印字コマンド中にフォント選択コマンドが含まれているかどうかを判定する。フォント選択コマンドが含まれていない場合は直ちにＳ６０９に移行する。一方、フォント選択コマンドが含まれている場合は、Ｓ６０６でカレント情報記憶部６１に格納されている内容とフォント選択コマンドの内容が同じであるかどうかを判定する。同じである場合はＳ６０９に移行する。異なる場合はＳ６０７でカレント情報記憶部６１にフォント選択コマンドの内容を格納し（Ｓ６０７）、Ｓ６０８でカレント情報記憶部６１の内容を不揮発性のメモリである設定情報記憶部６２に格納した後、Ｓ６０９に移行する。Ｓ６０９ではカレント情報記憶部６１で指定されるフォント情報に従って展開処理を行い、通常の印刷処理に移行する（Ｓ６１０）。
【００２６】
このように、操作パネル５５から設定されるフォント情報や、上位装置から送られるフォント選択コマンドの情報は、不揮発性のメモリである設定情報記憶部６２に格納される。従って、図７の電源スイッチオフ時のフローチャートに示すように、電源スイッチをオフしても、電源スイッチをオフする前に選択されたフォントの情報は保持され、図８の電源スイッチオン時のフローチャートに示すように、電源スイッチをオンした際、カレント情報記憶部６１に設定情報記憶部６２の内容を格納すれば、電源スイッチをオフする前に選択されていたフォント情報を自動的に選択できる。
【００２７】
以上説明したように、具体例２によれば、操作パネル５５から選択されるフォントの情報や、上位装置から送られるフォント選択コマンドの情報を、不揮発性のメモリである設定情報記憶部６２に格納するようにしたので、電源をオフしても選択されたフォントの情報が保持され、次に電源をオンした時には直前に選択されていたフォントを自動的に選択することができる。
【００２８】
（具体例３）
次に具体例３を説明する。上述した具体例１および具体例２では、給紙段の選択情報やフォントの選択情報を、それらの情報が選択される度に不揮発性のメモリに格納するようにした。具体例３では、電源スイッチをオフした時に行われるパワーオフ処理時に、それらの情報を不揮発性のメモリに格納するようにしたものである。具体例３のプリンタの構成は具体例１と同様であるので、説明は省略する。
【００２９】
具体例３では、給紙段が選択される時にはその選択情報を不揮発性のメモリに格納しないので、図５のＳ５１０と図６のＳ５３３の処理を省略する。また、フォント情報が選択される時もその選択情報を不揮発性のメモリに格納しないので、図９のＳ６０８と図１０のＳ６３３の処理を省略する。その代わりに図１１に示す処理を行う。
【００３０】
図１１は、具体例３の電源スイッチオフ時のフローチャートである。図１１に示すように、Ｓ７０１で電源スイッチのオフを検出した後、Ｓ７０３で通常のパワーオフ処理を行う前に、Ｓ７０２でカレント情報記憶部６１の内容を不揮発性のメモリである設定情報記憶部６２に格納することにより、電源スイッチをオフする前に選択されていた給紙段やフォントの情報が保持される。
【００３１】
以上説明したように、具体例３によれば、給紙段の選択情報やフォントの選択情報を、それらの情報が選択される度に不揮発性のメモリに格納するのではなく、電源スイッチをオフした時に行われるパワーオフ処理時に、それらの情報を不揮発性のメモリに格納するようにしたので、不揮発性のメモリに書き込む処理が大幅に少なくなり、処理が高速化されるとともに不揮発性のメモリの寿命も長くなる。
また、用紙ジャム解除やメンテナンス等の目的で装置のカバーを開いた時は、カレント情報記憶部への通電を遮断しないようにすれば、選択された情報は保持されるので、カバーを閉じた時に直前に選択されていた給紙段やフォントを自動的に選択することができる。
【００３２】
（具体例４）
次に具体例４を説明する。上述した各具体例では、操作パネルから設定される情報や上位装置から送られるコマンドによって設定される情報を保持するようにした。具体例４では、これらの情報に伴って変化する用紙走行系の制御データや転写、定着用の制御データもこれらの情報と一緒に保持するようにしたものである。なお、説明を簡略化するために、給紙機構部は４１と４４のみを考えることにし、第１の給紙機構部４１の給紙トレイ（トレイ１）にはＡ４用紙、第２の給紙機構部４４の給紙トレイ（トレイ２）にはＢ５用紙が収納されていることにする。
【００３３】
ここで、電子写真プリンタの動作の詳細について図１および図２を参照しながら説明する。上位装置から印刷の指示があると、コントローラ部５０は用紙送りモータ５４を回転させて給紙機構部４１または４４から用紙を送り出す。前記給紙機構部によって送り出された用紙は走行ルート２６を通り、回転を停止しているレジストローラ１４の圧接点に送り込まれ、そこで用紙の走行曲がりが矯正される。次に、走行曲がりが矯正された用紙はレジストローラ１４の回転によって送られ、書込センサ２９に到達する。
【００３４】
一方、画像形成部１５においては、書込センサ２９の信号をトリガにして画像形成を開始する。すなわち、帯電装置１７によって均一に帯電された感光ドラム１６上にＬＥＤヘッド１８によって静電潜像が形成され、前記静電潜像は現像装置１９によってトナー像として可視像化され、転写装置２０に送られる。用紙送りと感光ドラム１６の回転は同期がとられ、転写装置２０によって用紙の所定位置にトナー像が転写される。転写後、感光ドラム１６の表面に残ったトナーはクリーニング装置２１によってドラム表面から掻き落とされる。
一方、転写を終了した用紙は、定着装置２２の間を通過し、その際にトナー像は熱と圧力が加えられて用紙に定着され、排出ローラ２３、２４によって送り出される。
【００３５】
用紙の搬送は、主に用紙搬送路上に設けられた用紙走行系のセンサ２８〜３０によって制御される。図１２は、選択されたトレイとそれに対応する制御データを示す説明図である。ここで、第１のホッピングローラ４３が用紙と接触する点から入口センサ２８までの距離をＬ１、第２のホッピングローラ４６が用紙と接触する点から入口センサ２８までの距離をＬ２、トレイ１に収納されている用紙の長さをＬ５、トレイ２に収納されている用紙の長さをＬ６とする。また、入口センサ２８から書込センサ２９までの距離をＬ３、書込センサ２９から排出センサ３０までの距離をＬ４とする。前記距離Ｌ１〜Ｌ６は、何れも若干の誤差量を含むように設定されている。
【００３６】
図１３は、用紙の搬送における主なエラーとその監視条件を示す説明図である。図１３において、給紙エラーは、ホッピング動作を開始してから距離監視をし、所定距離（トレイ１からの給紙ならＬ１、トレイ２からの給紙ならＬ２）内に用紙の先端が入口センサ２８に到達しなかった場合に検出されるエラーである。搬送部ジャム１は、用紙の先端が入口センサ２８に到達してから距離監視をし、一定距離（Ｌ３）内に用紙の先端が書込センサ２９に到達しなかった場合に検出されるエラーである。搬送部ジャム２は、用紙の先端が書込センサ２９に到達してから距離監視をし、一定距離（Ｌ４）内に用紙の先端が排出センサ３０に到達しなかった場合に検出されるエラーである。排出口ジャムは、用紙の先端が排出センサ３０に到達してから距離監視をし、所定距離（トレイ１からの給紙ならＬ５、トレイ２からの給紙ならＬ６）内に用紙の後端が排出センサ３０に到達しなかった場合に検出されるエラーである。
【００３７】
このように、給紙エラーや排出口ジャムは、選択されるトレイによって基準値が異なる。従って、選択されるトレイによって異なる制御データを、トレイ選択情報と一緒に不揮発性のメモリである設定情報記憶部６２に格納する。
また、図１２に示すように、転写電流や定着温度も用紙の種類によって異なるため、転写電流や定着温度も選択されるトレイによって異なる制御データになり得る。従って、転写電流や定着温度もトレイ選択情報と一緒に不揮発性のメモリである設定情報記憶部６２に格納する。
【００３８】
これらの制御データを設定情報記憶部６２に格納する方法は、具体例１のようにトレイ選択情報が設定される度に設定情報記憶部６２に格納するようにしてもよいし、具体例３のように電源スイッチをオフした時に行われるパワーオフ処理時に設定情報記憶部６２に格納するようにしてもよい。
不揮発性のメモリである設定情報記憶部６２に格納された情報は電源スイッチをオフしても保持され、次に電源をオンした時には直前に設定されていた制御データに基づいて給紙動作や画像形成処理を行うので、処理が高速化される。
【００３９】
以上説明したように、具体例４によれば、給紙段の選択情報だけでなく、選択される給紙段によって異なる用紙走行系の基準値や転写電流、定着温度等の制御データも一緒に不揮発性のメモリに格納するようにしたので、不揮発性のメモリに格納された情報は電源スイッチをオフしても保持され、次に電源をオンした時には直前に設定されていた制御データに基づいて給紙動作や画像形成処理を行うので、処理が高速化される。
また、上記具体例では電子写真プリンタについて説明したが、本発明はインクジェットプリンタや複写機等にも適用できる。その場合、具体例４において何を制御データとするかはそれぞれの装置に応じて適宜選択される。
【００４０】
（具体例５）
前述した各具体例では、操作パネルから設定される情報も、上位装置から送られるコマンドによって設定される情報も、両方不揮発性のメモリに保持するようにした。しかしながら、プリンタをネットワークに接続し、複数のオペレータが共通にプリンタを使用する場合、オペレータからのコマンドによって設定情報が頻繁に書き換えられると不都合が生じる場合がある。そのような場合は、操作パネルから設定される情報のみ不揮発性のメモリに保持するようにしてもよい。
【００４１】
図１４および図１５は、具体例５の動作を示すフローチャートである。給紙段の選択については図５のフローチャートの代わりに図１４のフローチャート、フォントの選択については図９のフローチャートの代わりに図１５のフローチャートにより制御すれば、実現可能である。
【００４２】
【発明の効果】
以上詳細に説明したように、本発明によれば、給紙段の内の一つを選択するための選択手段によって選択された給紙段の情報を、選択手段によって選択される毎に不揮発性の記憶手段に格納するようにしたので、電源をオフしても選択された給紙段の情報が保持され、次に電源をオンしたときには直前に選択されていた給紙段を自動的に選択することができる。
【図面の簡単な説明】
【図１】具体例１の画像記録装置の制御系のブロック図である。
【図２】具体例１の画像記録装置の断面図である。
【図３】具体例１の操作パネルの説明図である。
【図４】具体例１のメニューで設定される情報の説明図である。
【図５】具体例１の動作を示すフローチャート（その１）である。
【図６】具体例１の動作を示すフローチャート（その２）である。
【図７】具体例１の動作を示すフローチャート（その３）である。
【図８】具体例１の動作を示すフローチャート（その４）である。
【図９】具体例２の動作を示すフローチャート（その１）である。
【図１０】具体例２の動作を示すフローチャート（その２）である。
【図１１】具体例３の動作を示すフローチャートである。
【図１２】選択されたトレイとそれに対応する制御データ例を示す説明図である。
【図１３】用紙の搬送における主なエラーとその監視条件を示す説明図である。
【図１４】具体例５の動作を示すフローチャート（その１）である。
【図１５】具体例５の動作を示すフローチャート（その２）である。
【符号の説明】
４１  第１の給紙機構部
４４  第２の給紙機構部
４７  第３の給紙機構部
５５  操作パネル
６１  カレント情報記憶部
６２  設定情報記憶部
【図１】
0003834410.tif 000002
【図２】
0003834410.tif 000003
【図３】
0003834410.tif 000004
【図４】
0003834410.tif 000005
【図５】
0003834410.tif 000006
【図６】
0003834410.tif 000007
【図７】
0003834410.tif 000008
【図８】
0003834410.tif 000009
【図９】
0003834410.tif 000010
【図１０】
0003834410.tif 000011
【図１１】
0003834410.tif 000012
【図１２】
0003834410.tif 000013
【図１３】
0003834410.tif 000014
【図１４】
0003834410.tif 000015
【図１５】
0003834410.tif 000016